(57)【要約】【課題】フィルタのメンテナンスが容易であり、施工の簡略化を図ることのできるフィルタボックスおよびこれを用いた空調システムを提供する。【解決手段】空調システム１０では、建物１１の天井内空間１１ａ内に全熱交換ユニット１２が配置され、ホール１１ｈの天井１１ｃ裏にフィルタボックス１３が配置され、各居室１ｒ，２ｒの天井１ｃ，２ｃに給気口１４が設けられている。天井内空間１１ａ内に分岐ボックス１５ａが配置され、一階１Ｆと二階２Ｆとの間に分岐ボックス１５ｂが配置され、建物１１の屋外に面する部分に外気取入口１６、排気口１７が設けられている。フィルタボックス１３と全熱交換ユニット１２との間に外気ダクト１９ｂ，排気ダクト２１ａが配管され、フィルタボックス１３と外気取入口１６との間に外気ダクト１９ａが配管され、全熱交換ユニット１２と排気口１７の間に排気ダクト２１ｂが配管されている。【選択図】図１
2008122022.tif 000002
【特許請求の範囲】
【請求項１】
建物の空調設備を構成する空気流路内を流通する空気の浄化を行うためのフィルタボックスにおいて、
屋外から取り込んだ外気を室内に供給するための外気流路と、室内から取り込んだ空気を屋外へ排出するための環気流路と、前記環気流路に連通し室内に向かって開口する室内排気口と、を有するケーシングを備え、
前記外気流路には外気浄化手段、前記環気流路には環気浄化手段をそれぞれ設け、
前記外気浄化手段および前記環気浄化手段が前記室内排気口を経由して着脱可能であることを特徴とするフィルタボックス。
【請求項２】
前記外気浄化手段は前記室内排気口および前記環気流路を経由して前記外気流路に抜き差し可能に設けられ、前記環気浄化手段は前記室内排気口に設けられたことを特徴とする請求項１記載のフィルタボックス。
【請求項３】
前記外気浄化手段および前記環気浄化手段を互いに一体化した状態で前記外気流路および前記環気流路に着脱可能に保持したことを特徴とする請求項１または２記載のフィルタボックス。
【請求項４】
室内側から開閉可能な排気グリルを前記室内排気口に設けたことを特徴とする請求項１〜３のいずれかに記載のフィルタボックス。
【請求項５】
外気中に含まれる異物を除去するための異物捕捉手段を前記外気浄化手段に設けたことを特徴とする請求項１〜４のいずれかに記載のフィルタボックス。
【請求項６】
請求項１〜５のいずれかに記載のフィルタボックスを空調機器の空気流路と接続した状態で建物の共用部に配置したことを特徴とする空調システム。
【請求項７】
前記フィルタボックスの前記室内排気口を建物の室内側に臨ませた状態で配置したことを特徴とする請求項６記載の空調システム。
【発明の詳細な説明】
【技術分野】
【０００１】
本発明は、一戸建て住宅やマンションなどの建物において使用される空調システムに関する。
【背景技術】
【０００２】
近年、一戸建て住宅やマンションなどの居住用の建物においては連続換気を行うことのできる２４時間換気システムが採用されている。このような換気システムは、新鮮な外気を室内に供給するとともに、室内の汚れた空気を屋外へ排出する機能を有している。従来の換気システム、特に、天井埋込タイプの２４時間換気システムにおいては、換気ユニット本体真下の天井面にメンテナンス用の天井点検口が設けられ、フィルタ洗浄などのメンテナンスが必要な時は、この天井点検口を開いた後、換気ユニット本体の点検口を開いてフィルタなどを取り出している。
【０００３】
一方、本願に関連する空調システムとして、全館計画換気を浴室暖房乾燥機と連動させることにより、新たに強制浴室換気装置を設けることなく構築することができる「熱回収式換気システム」（例えば、特許文献１参照。）、あるいは、給気口から取り込んだ外気を各居室内に吹き出すとともに、住宅内の空気を強制的に吸引して排気口から外部に排出する「住宅換気装置」（例えば、特許文献２参照。）などがある。
【０００４】
特許文献１，２記載の空調システムにおいては、室外から取り込んだ外気を換気ユニットに導入する外気流路および室内から取り込んだ排気を換気ユニットに導入する排気流路にそれぞれフィルタが設けられ、これらのフィルタは略気密構造のフィルタボックス内に収納されている。
【０００５】
【特許文献１】特開２００２−１６８５０３号公報
【特許文献２】特開２００１−４１８６号公報
【発明の開示】
【発明が解決しようとする課題】
【０００６】
従来の天井埋込タイプの２４時間換気システムの場合、一般に天井点検口は脱衣所やクローゼットの内部などの目立たない部分に設けられているため、メンテナンス作業がやり難いことが多い。特に、クローゼットの場合、天井点検口の下に収納されている荷物がメンテナンス作業の邪魔になったり、無理な姿勢でメンテナンス作業を行ったりしなければならないことがある。また、天井点検口を経由してフィルタを取り出す場合、天井点検口を開いた後、更に換気ユニットの本体点検口を開き、換気ユニット本体にラッチなどで固定されているフィルタ枠を外し、そこからフィルタを取り出さなければならないので、作業が煩雑である。
【０００７】
一方、熱交換エレメントおよびフィルタが同じ場所に配置された全熱交換ユニットの場合、機種によっては、フィルタが熱交換エレメントに直接保持され、熱交換エレメントごと取り外さないとフィルタが取り出せない方式のものもあり、このような場合、メンテナンス作業は更に煩雑となる。また、熱交換エレメントとフィルタとは、それぞれのメンテナンス頻度が異なるため（例えば、熱交換エレメントは１年に１回程度、フィルタは３ヶ月に１回程度）、前記方式の全熱交換ユニットの場合、３ヶ月ごとのフィルタ取り出しのたびに熱交換エレメントも取り出すこととなり、メンテナンスに手間を要している。
【０００８】
一方、特許文献１，２記載の空調システムの場合、外気流路用フィルタおよび排気流路用フィルタが収納されたフィルタボックスが換気ユニットと別に設けられている。このため、換気ユニット内にフィルタが収納された方式のものに比べると、メンテナンス性は良好である。しかしながら、特許文献１記載の空調システムは、フィルタボックスが天井内空間に隠蔽されているので、フィルタボックスにアクセスするための天井点検口を建物の一部に設ける必要があり、施工性の悪化を招く。また、メンテナンスの際には、天井点検口を開いた後、更にフィルタボックスの点検口を開く必要があり、作業性も悪い。
【０００９】
一方、特許文献２の空調システムにおいては、環気グリルを各部屋に設置する必要があるとともに、各環気グリルごとにそれぞれ環気ダクトの施工も必要であるため、施工性が悪い。また、構成部材としての環気ダクトおよび環気グリルが必要であるため、部材点数が増大し、コストアップとなる。
【００１０】
本発明が解決しようとする課題は、空気浄化手段のメンテナンスが容易であり、施工の簡略化を図ることのできるフィルタボックスおよびこれを用いた空調システムを提供することにある。
【課題を解決するための手段】
【００１１】
本発明のフィルタボックスは、
建物の空調設備を構成する空気流路内を流通する空気の浄化を行うためのフィルタボックスにおいて、
屋外から取り込んだ外気を室内に供給するための外気流路と、室内から取り込んだ空気を屋外へ排出するための環気流路と、前記環気流路に連通し室内に向かって開口する室内排気口と、を有するケーシングを備え、
前記外気流路には外気浄化手段、前記環気流路には環気浄化手段をそれぞれ設け、
前記外気浄化手段および前記環気浄化手段が前記室内排気口を経由して着脱可能であることを特徴とする。
【００１２】
このような構成とすれば、外気浄化手段および環気浄化手段はいずれも、室内に向かって開口する室内排気口を経由して着脱可能となるため、空気浄化手段である外気浄化手段および環気浄化手段のメンテナンスが容易となる。また、環気流路と連通し、室内に向かって開口する室内排気口を備えているため、当該フィルタボックスと室内とを連通する排気流路を別途設けることなく、室内から取り込んだ空気を浄化させて屋外へ送り出すことができる。従って、施工の簡略化を図ることができる。
【００１３】
ここで、前記外気浄化手段は前記室内排気口および前記環気流路を経由して前記外気流路に抜き差し可能に設けられ、前記環気浄化手段は前記室内排気口に設けられることが望ましい。このような構成とすれば、環気浄化手段および外気浄化手段はいずれも室内排気口から簡単に着脱できるようになる。また、外気浄化手段も簡単な抜き差し作業で着脱できるようになるため、メンテナンスがさらに容易となる。
【００１４】
この場合、前記外気浄化手段および前記環気浄化手段を互いに一体化した状態で前記外気流路および前記環気流路に着脱可能に保持することもできる。このような構成とすれば、外気浄化手段および環気浄化手段を、室内排気口から行う一度の作業で着脱することができるようになるため、メンテナンス性が向上する。なお、「外気浄化手段および環気浄化手段を互いに一体化した状態」とは、外気浄化手段と環気浄化手段とが一体的に形成されているものに限らず、フレームなどの保持部材に外気浄化手段および環気浄化手段が一体的に保持されるものも含んでいる。
【００１５】
また、室内側から開閉可能な排気グリルを前記室内排気口に設けることが望ましい。このような構成とすれば、室内側から排気グリルを開いて、外気浄化手段および環気浄化手段の着脱を行うことが可能となるため、メンテナンス性の向上に有効である。また、開閉式の排気グリルが点検口として機能するため、天井面に、別途、点検口を設ける必要がない。
【００１６】
一方、外気中に含まれる異物を除去するための異物捕捉手段を前記外気浄化手段に設けることもできる。このような構成とすれば、外気に混じって吸い込まれた昆虫や比較的大きな埃などの異物が空調設備や室内へ侵入するのを防止することができる。
【００１７】
次に、本発明の空調システムは、前述したフィルタボックスのいずれかを空調機器の空気流路と接続した状態で建物の共用部に配置したことを特徴とする。ここで、「建物の共用部」とは、廊下、ホール、ユーティリティ、脱衣所など建物の居住者が共通して利用する部分をいう。
【００１８】
このような構成とすれば、収納物などが置かれることのない共用部において、外気浄化手段や環気浄化手段などの空気浄化手段のメンテナンスを行うことが可能となるため、空気浄化手段のメンテナンス作業が容易となる。また、前述の構成とすれば、フィルタボックスの室内排気口から共用部の空気を取り込むことができるが、一般に建物の共用部は他の居室とはドア下のアンダーカット部を介して連通しているため、他の居室内の空気はアンダーカット部および共用部を経由してフィルタボックスの環気流路へ取り込み可能となる。従って、それぞれの居室とフィルタボックスとを接続する排気流路を個別に設けることなく、建物内全体の空気を取り込むことが可能となり、施工の簡略化を図ることもできる。また、フィルタボックスを壁などに設ければ、天井に設ける場合に比べて低い位置となるので、メンテナンスも高所作業とならず安全に行うことができる。
【００１９】
この場合、前記フィルタボックスの前記室内排気口を建物の室内側に臨ませた状態で配置することもできる。このような構成とすれば、共用部の天井から室内側への突出を最小限に抑制しつつ、室内の空気を効率良くフィルタボックスの環気流路へ取り込むことができ、外観性も向上する。
【発明の効果】
【００２０】
本発明により、空気浄化手段のメンテナンスが容易であり、施工の簡略化を図ることのできるフィルタボックスおよびこれを用いた空調システムを提供することができる。
【発明を実施するための最良の形態】
【００２１】
以下、図面に基づいて、本発明の実施形態について説明する。図１は本発明の実施形態である空調システムの概略を示す模式図、図２は図１に示す空調システムを構成する本発明の第１実施形態であるフィルタボックスを示す模式図、図３は図２に示すフィルタボックスのメンテナンス手順を示す模式図である。
【００２２】
図１に示すように、本実施形態の空調システム１０においては、建物１１の天井内空間１１ａ内に全熱交換ユニット１２が配置され、建物１１内の共用部であるホール１１ｈの天井１１ｃ裏にフィルタボックス１３が配置され、一階１Ｆおよび二階２Ｆに設けられた複数の居室１ｒ，２ｒの天井１ｃ，２ｃにはそれぞれ給気口１４が設けられている。天井内空間１１ａ内に分岐ボックス１５ａが配置され、一階１Ｆと二階２Ｆとの間に分岐ボックス１５ｂが配置されている。建物１１の屋外に面する部分には、フード付きの外気取入口１６および排気口１７が設けられている。それぞれの居室１ｒ，２ｒとホール１１とを区画する隔壁にドア１ｗ，２ｗが設けられ、その下部にはそれぞれ通気口となるアンダーカット部１８が開設されている。
【００２３】
図２に示すように、フィルタボックス１３は略直方体形状のケーシング１３ａを備え、ケーシング１３ａ内に、屋外から取り込まれた外気を浄化させて室内へ送り出すための外気流路１３ｇと、室内から取り込まれた空気を浄化させて屋外へ排出するための環気流路１３ｋとが設けられ、ケーシング１３ａの下面に、環気流路１３ｋに連通し室内に向かって開口する室内排気口１３ｆが開設されている。外気流路１３ｇと環気流路１３ｋとはケーシング１３ａ内に設けられた隔壁１３ｗによって区画されている。
【００２４】
外気取入口１６、フィルタボックス１３の外気流路１３ｇとは外気ダクト１９ａで接続され、フィルタボックス１３の外気流路１３ｇと全熱交換ユニット１２の外気取入口とは外気ダクト１９ｂで接続されている。また、全熱交換ユニット１２の給気口と分岐ボックス１５ａ，１５ｂとは給気ダクト２０ａで接続され、分岐ボックス１５ａ，１５ｂと各居室１ｒ，２ｒの給気口１４とは給気ダクト２０ｂで接続されている。さらにフィルタボックス１３の環気流路１３ｋと全熱交換ユニット１２の環気口とは外気ダクト２１ａで接続され、全熱交換ユニット１２の排気口と建物１１の排気口１７とは排気ダクト２１ｂで接続されている。
【００２５】
外気浄化手段である平板状のフィルタ２２が外気流路１３ｇに垂直姿勢で配置され、環気浄化手段である平板状のフィルタ２３が環気流路１３ｋに水平姿勢で配置されている。フィルタ２２，２３は略Ｌ字状のフレーム２４によって一体的に保持されている。室内排気口１３ｆの下面には排気グリル２５が開閉可能に配置され、この排気グリル２５の上面にフィルタ２３が配置されている。後述するように、排気グリル２５を開いて室内排気口１３ｆを室内側に露出させると、フィルタ２２，２３はフレーム２４とともに室内排気口１３ｆを経由してケーシング１３ａに着脱することができる。
【００２６】
フィルタ２２，２３は特に限定するものではないが、外気浄化手段であるフィルタ２２は、外気中に含まれる砂、埃やＮＯｘなどの微粒子、ガスなどを除去する機能を有する比較的目が細かいフィルタ、例えば、中性能フィルタ、高性能フィルタなどが好適であり、建物の立地条件などに応じてＮＯｘフィルタ、活性炭フィルタなども使用することができる。一方、環気浄化手段であるフィルタ２３は、建物１１内に浮遊する塵埃などを除去する機能を有する比較的目の粗いフィルタ、例えば、サランネットフィルタなどが好適である。
【００２７】
全熱交換ユニット１２を運転させると、全熱交換ユニット１２の外気流路１３ｇに設けられた給気用ファン（図示せず）の稼動により外気取入口１６から外気ダクト１９ａを経由してフィルタボックス１３内の外気流路１３ｇ内へ外気が取り込まれ、フィルタ２２により浄化されたのち、外気ダクト１９ｂを経由して全熱交換ユニット１２へ流入する。また、これと同時に、全熱交換ユニット１２の排気流路に設けられた排気用ファン（図示せず）の稼動により、各居室１ｒ，２ｒ内の空気はそれぞれのアンダーカット部１８を通ってホール１１ｈ内へ流れ込み、ホール１１ｈ内を経由して、フィルタボックス１３の室内排気口１３ｆから環気流路１３ｋ内へ取り込まれ、フィルタ２３により浄化された後、排気ダクト２１ａを経由して全熱交換ユニット１２へ流入する。
【００２８】
そして、全熱交換ユニット１２においては、ここに内蔵された熱交換エレメント（図示せず）によって、フィルタボックス１３を経由して浄化された外気と環気との間の熱交換が行われ、熱交換後の外気は給気ダクト２０ａ、分岐ボックス１５ａ，１５ｂおよび給気ダクト２０ｂを経由して、それぞれの給気口１４から各居室１ｒ，２ｒ内へ供給される。また、熱交換後の環気は排気ダクト２１ｂを通って排気口１７から屋外へ排出される。
【００２９】
次に、フィルタボックス１３内に設けたフィルタ２２，２３のメンテナンスを行う場合の作業手順について説明する。図３（ａ）に示すように、排気グリル２５を開くと、室内排気口１３ｆがホール１１ｈ側（図１参照）に露出する。外気流路１３ｇに設けられたフィルタ２２は隔壁１３ｗを貫通し、フレーム２４に保持されているので、図３（ｂ）に示すように、フィルタ２２，２３はフレーム２４とともに室内排気口１３ｆを経由して直接ケーシング１３ａ外へ取り出すことができる。また、フィルタ２２，２３を取り付ける場合は、前述と逆に、フレーム２４で一体的に保持されているフィルタ２２，２３を、室内排気口１３ｆを経由して直接ケーシング１３ａ内へ装入した後、排気グリル２５を閉じて室内排気口１３ｆを覆えば良い。
【００３０】
フィルタボックス１３においては、フィルタ２２，２３がいずれもホール１１ｈ内に向かって開口する室内排気口１３ｆを経由して着脱可能であるため、空気浄化手段（フィルタ２２，２３）のメンテナンスが容易である。また、環気流路１３ｋと連通し、ホール１１ｈ内に向かって開口する室内排気口１３ｆを備えているため、当該フィルタボックス１３とホール１１ｈ内とを連通する排気流路を別途設けることなく、ホール１１ｈ内を経由して取り込んだ各居室１ｒ，２ｒの空気を浄化して全熱交換ユニット１２へ送り込むことができる。従って、施工の簡略化を図ることができる。
【００３１】
室内排気口１３ｆには、ホール１１側から開閉可能な排気グリル２５が設けられているため、メンテナンス用の点検口を別途設けることなく、ホール１１ｈ側から排気グリル２５を開いて、フィルタ２２，２３の着脱を行うことができる。さらに、フィルタ２２，２３はフレーム２４によって一体的に保持されているため、複数のフィルタ２２，２３を一度の作業で着脱することができる。なお、外気中に含まれる異物を除去するための異物捕捉手段（例えば、網など）をフィルタ２２若しくはフレーム２４に設ければ、外気に混じって吸い込まれた昆虫や比較的大きな埃などの異物が全熱交換ユニット１２の熱交換エレメントに付着して目詰まりを生じたり、居室１ｒ，２ｒへ侵入したりするのを防止することができる。また、フレーム２４はＬ字状であるため、フィルタ２２に付着したゴミが落下することがあってもフィルタ２３の上面で捕捉することができる。
【００３２】
一方、空調システム１０においては、フィルタボックス１３を全熱交換ユニット１２の空気流路（外気ダクト１９ａ，１９ｂおよび排気ダクト２１ａ）と接続した状態で、建物１１の共用部であるホール１１ｈに配置している。従って、収納物などが置かれることのないホール１１ｈにおいて、フィルタ２２，２３のメンテナンスを行うことが可能であり、空気浄化手段のメンテナンスは容易である。また、全熱交換ユニット１２にフィルタメンテナンス用の点検口を設ける必要がないので、構造の簡素化を図ることができる。
【００３３】
空調システム１０の場合、フィルタボックス１３の室内排気口１３ｆからホール１１ｈを経由して各居室の空気を取り込むことにより、居室１ｒ，２ｒ内の空気をそれぞれのドア１ｗ，２ｗのアンダーカット部１８およびホール１１ｈを経由してフィルタボックス１３の環気流路１３ｋへ取り込むことができる。従って、それぞれの居室１ｒ，２ｒとフィルタボックス１３とを接続する排気流路を居室１ｒ，２ｒごとに個別に設けることなく、建物１１内全体の空気を取り込むことができる。このため、施工の簡略化を図ることもできる。
【００３４】
また、図１で示したように、フィルタボックス１３の室内排気口１３ｆをホール１１ｈ側に臨ませた状態でホール１１ｈ上方の天井内空間１１ａに配置している。従って、ホール１１ｈの天井１１ｃからホール１１ｈ側への突出を最小限に抑制しつつ、建物１１内の空気を効率良くフィルタボックス１３の環気流路１３ｋへ取り込むことができる。さらに、天井１１ｃからホール１１ｈ側への突出が抑制されることにより、外観性が良くなり、圧迫感もなくなる。
【００３５】
なお、本実施形態の空調システム１０においては建物１１内に設けた一つの室内排気口１３ｆを経由して建物１１内全体の空気を集中的に取り込む構成としているが、これに限定するものではないので、室内排気口１３ｆに加え、例えば、居室１ｒ，２ｒのいずれかの天井１ｃ，２ｃなどに設けた室内排気口（図示せず）と環気流路１３ｋとを新たな環気ダクト（図示せず）により接続すれば、室内排気口を設けた居室の室内空気を環気流路１３ｋに個別に取り込むようにすることもできる。このような構成とした場合、ドアなどにアンダーカット部を設ける必要がなくなるので、アンダーカット部からの音漏れ、光漏れなどをなくすことができる。このため、例えば、シアタールームなど音漏れ、光漏れの懸念のある居室などに好適である。このように、ドアにアンダーカット部を設けず室内排気口を個別に設けることにより、建物全体の集中排気を行いながらも個別排気を行う居室を設けることができる。
【００３６】
次に、図４〜図９に基づいて、本発明の第２〜第６実施形態であるフィルタボックスについて説明する。図４は本発明の第２実施形態であるフィルタボックスを示す模式図、図５は図４に示すフィルタボックス内のフィルタのメンテナンス手順を示す模式図である。また、図６〜図９は本発明の第３〜第６実施形態であるフィルタボックスを示す模式図である。なお、図４〜図９において図１〜図３に示す符号と同符号を付している部分はフィルタボックス１３の構成部分と同様の構造、機能を有する部分であり、説明を省略する。
【００３７】
図４に示すフィルタボックス３０においては、上方に一対の屋根状の斜面部３０ｒを有するケーシング３０ａ内に、外気流路１３ｇと環気流路１３ｋとが設けられ、環気流路１３ｋに連通し室内に向かって開口する室内排気口１３ｆがケーシング３０ａの下面に開設されている。外気流路１３ｇと環気流路１３ｋとはケーシング１３ａ内に設けられた隔壁１３ｗによって区画されている。フィルタ２２は外気流路１３ｇに垂直姿勢で抜き差し可能に配置され、フィルタ２３は室内排気口１３ｆの排気グリル２５上に水平姿勢で着脱可能に配置されている。外気ダクト１９ａ，１９ｂは、ケーシング３０ａの屋根に相当する二つの斜面部３０ｒにそれぞれ取り付けられ、排気ダクト２１ａはケーシング３０ａの垂直面３０ｃに取り付けられている。
【００３８】
フィルタ２２，２３のメンテナンスを行う場合、図５（ａ）に示すように、排気グリル２５を開けば室内排気口１３ｆに設けたフィルタ２３を取り出すことができる。また、図５（ｂ）に示すように、室内排気口１３ｆから外気流路１３ｇに設けられたフィルタ２２を引き抜くことでフィルタボックス３０から取り出すことができる。図５（ｂ）に示すように、フィルタ２２を外気流路１３ｇに抜き差しするため隔壁１３ｗに開口部１３ｈが開設されているが、フィルタ２２を外気流路１３ｇに取り付けたとき、その下縁部に設けられたカバー２２ａが開口部１３ｈを閉塞する。カバー２２ａが存在することにより、フィルタ２２に付着した埃などがフィルタから脱落してもカバー２２ａ上面で捕捉できるという効果が得られる。
【００３９】
また、フィルタボックス３０のような構成とすれば、外気流路１３ｇの屈曲角度が９０度となり、フィルタボックス１３における外気流路１３ｇの屈曲角度１８０度よりも小さくなるため、流路圧損を低減することができる。
【００４０】
図６に示すフィルタボックス４０においては、縦長の略直方体形状をしたケーシング４０ａ内に、外気流路１３ｇと環気流路１３ｋとが設けられ、環気流路１３ｋに連通し室内に向かって開口する室内排気口１３ｆがケーシング４０ａの下面に開設されている。外気流路１３ｇと環気流路１３ｋとはケーシング１３ａ内に設けられた略階段状の隔壁４０ｗによって区画されている。フィルタ２２は外気流路１３ｇに垂直姿勢で抜き差し可能に配置され、フィルタ２３は室内排気口１３ｆの排気グリル２５上に水平姿勢で着脱可能に配置されている。外気ダクト１９ａ，１９ｂは、ケーシング４０ａの対向する二つの垂直面４０ｂ，４０ｃにそれぞれ取り付けられ、排気ダクト２１ａも垂直面４０ｂに取り付けられている。
【００４１】
フィルタボックス４０のような構成とすることにより、ケーシング４０ａのコンパクト化を図りながら、フィルタ２２の表面積を大きく確保することができるため、圧力損失を低減することができるとともに、捕集面積の増大によりメンテナンス頻度を減らすことができる。
【００４２】
図７に示すフィルタボックス５０においては、縦長の略直方体形状をしたケーシング５０ａ内に、外気流路１３ｇと環気流路１３ｋとが設けられ、環気流路１３ｋに連通し室内に向かって開口する室内排気口１３ｆがケーシング５０ａの下面に開設されている。外気流路１３ｇと環気流路１３ｋとはケーシング５０ａ内に設けられた水平な隔壁５０ｗによって区画されている。フィルタ２２は外気流路１３ｇに垂直姿勢で抜き差し可能に配置され、フィルタ２３は室内排気口１３ｆの排気グリル２５上に水平姿勢で着脱可能に配置されている。外気ダクト１９ａ，１９ｂは、ケーシング５０ａの対向する二つの垂直面５０ｂ，５０ｃにそれぞれ取り付けられ、排気ダクト２１ａは垂直面５０ｂ，５０ｃと直交する垂直面５０ｄに取り付けられている。
【００４３】
フィルタボックス５０のような構成とすれば、外気流路１３ｇの圧力損失を低減することができるとともにケーシング５０ａをコンパクト化することができる。また、フィルタボックス３０と同様、フィルタ２２にカバー２２ａが設けられているため、フィルタ２２に付着した埃などがフィルタから脱落してもカバー２２ａ上面で捕捉することができる。
【００４４】
図８に示すフィルタボックス６０においては、横長の略直方体形状をしたケーシング６０ａ内に、外気流路１３ｇと環気流路１３ｋとが設けられ、環気流路１３ｋに連通し室内に向かって開口する室内排気口１３ｆがケーシング６０ａの下面に開設されている。外気流路１３ｇと環気流路１３ｋとはケーシング６０ａ内に設けられた垂直な隔壁６０ｗによって区画されている。フィルタ２２は外気流路１３ｇに垂直姿勢で抜き差し可能に配置され、フィルタ２３は室内排気口１３ｆの排気グリル２５上に水平姿勢で着脱可能に配置されている。外気ダクト１９ａ，１９ｂは、ケーシング６０ａの対向する二つの垂直面６０ｂ，６０ｃにそれぞれ取り付けられ、排気ダクト２１ａは垂直面６０ｂ，６０ｃと直交する垂直面６０ｄに取り付けられている。フィルタボックス６０のような構成とすることにより、外気流路１３ｇの圧力損失を低減することができるとともにケーシング６０ａをコンパクト化することができる。
【００４５】
フィルタボックス５０，６０の場合、外気流路１３ｇおよび環気流路１３ｋはそれぞれ一体構造をしたケーシング５０ａ，６０ａ内に設けられているが、それぞれの隔壁５０ｗ，６０ｗの部分において、外気流路１３ｇ側のケーシングと環気流路１３ｋ側のケーシングとが分離、接合可能な構造とすることもできる。このような構造とすれば、施工現場の状況に応じて、フィルタボックス５０，６０のいずれかの形態を選択的に採用することができる。また、外気流路１３ｇ側のケーシング部分と、環気流路１３ｋ側のケーシング部分とを別々に運んだり、取り付けたりすることが可能となるので、狭い施工現場での作業性が向上する。
【００４６】
また、前述した分離、接合可能な構造とする場合、図７に示すように、隔壁５０ｗが外気流路１３ｇ側のケーシングに一体化された構造とし、垂直面５０ｂの下方に環気流路１３ｋに臨む開口部５０ｅ（隔壁５０ｗと同じサイズ、形状）を設け、この開口部５０ｅに閉塞部材５を着脱可能に装着した構造とすることが望ましい。このような構造とすれば、図７に示すフィルタボックス５０から図８に示すフィルタボックス６０への変更および逆の変更を極めて容易に行うことができる。
【００４７】
即ち、図７に示すフィルタボックス５０において、閉塞部材５を取り外して開口部５０ｅを露出させ、外気流路１３ｇ側のケーシングを環気流路１３ｋのケーシングから分離させたときに現れる環気流路１３ｋの上面（室内排気口１３ｆの対向面）の開口部（図８に示す開口部６０ｅに相当）に前記閉塞部材５を装着し、外気流路１３ｇ側のケーシングを９０度横転させてカバー２２ａを開口部５０ｅに臨ませた状態で環気流路１３ｋ側のケーシングに接合すれば、図８に示すフィルタボックス６０へ変更することができる。また、逆の手順をとれば、図８のフィルタボックス６０から図７のフィルタボックス５０へ変更することもできる。
【００４８】
図９に示すフィルタボックス７０においては、略直方体形状をしたケーシング７０ａ内に、外気流路１３ｇと環気流路１３ｋとが設けられ、環気流路１３ｋに連通し室内に向かって開口する室内排気口１３ｆがケーシング７０ａの下面に開設されている。フィルタ２２は外気流路１３ｇに垂直姿勢で抜き差し可能に配置され、フィルタ２３は室内排気口１３ｆの排気グリル２５上に水平姿勢で着脱可能に配置されている。外気流路１３ｇと環気流路１３ｋとは、フィルタ２２の下縁部に設けられた水平な隔壁７０ｗによって区画されている。外気ダクト１９ａ，１９ｂは、ケーシング７０ａの対向する二つの垂直面７０ｂ，７０ｃにそれぞれ取り付けられ、排気ダクト２１ａは垂直面７０ｃに取り付けられている。
【００４９】
フィルタ２２は隔壁７０ｗとともに外気流路１３ｇに抜き差し可能に配置され、フィルタ２３は室内排気口１３ｆに着脱可能に設けられているため、排気グリル２５を開けば、フィルタ２２，２３は室内排気口１３ｆから簡単に着脱することができる。このため、フィルタメンテナンスを大幅に簡略化することができる。フィルタボックス７０の場合、フィルタ２２を隔壁７０ｗとともに取り出すとケーシング７０ａ内は空洞状態となるので、ケーシング７０ａ内のメンテナンスも極めて容易である。
【産業上の利用可能性】
【００５０】
本発明に係るフィルタボックスおよびこれを用いた空調システムは、一戸建て住宅やマンションなどの建物の空調設備として広く利用することができる。
【図面の簡単な説明】
【００５１】
【図１】本発明の実施形態である空調システムの概略を示す模式図である。
【図２】図１に示す空調システムを構成する本発明の第１実施形態であるフィルタボックスを示す模式図である。
【図３】図２に示すフィルタボックスのメンテナンス手順を示す模式図である。
【図４】本発明の第２実施形態であるフィルタボックスを示す模式図である。
【図５】図４に示すフィルタボックス内のフィルタのメンテナンス手順を示す模式図である。
【図６】本発明の第３実施形態であるフィルタボックスを示す模式図である。
【図７】本発明の第４実施形態であるフィルタボックスを示す模式図である。
【図８】本発明の第５実施形態であるフィルタボックスを示す模式図である。
【図９】本発明の第６実施形態であるフィルタボックスを示す模式図である。
【符号の説明】
【００５２】
１Ｆ  一階
２Ｆ  二階
１ｃ，２ｃ，１１ｃ  天井
１ｒ，２ｒ  居室
１ｗ，２ｗ  ドア
５  閉塞部材
１３ｗ，４０ｗ，５０ｗ，６０ｗ，７０ｗ  隔壁
１０  空調システム
１１  建物
１１ａ  天井内空間
１１ｈ  ホール
１２  全熱交換器
１３，３０，４０，５０，６０，７０  フィルタボックス
１３ａ，３０ａ，４０ａ，５０ａ，６０ａ，７０ａ  ケーシング
１３ｆ  室内排気口
１３ｇ  外気流路
１３ｋ  環気流路
１３ｈ  開口部
１４  給気口
１５ａ，１５ｂ  分岐ボックス
１６  外気取入口
１７  排気口
１８  アンダーカット部
１９ａ，１９ｂ  外気ダクト
２０ａ，２０ｂ  給気ダクト
２１ａ，２１ｂ  排気ダクト
２２，２３  フィルタ
２２ａ  カバー
２４  フレーム
２５  排気グリル
３０ｃ，４０ｂ，４０ｃ，５０ｂ，５０ｃ，５０ｄ，６０ｂ，６０ｃ，６０ｄ，７０ｂ，７０ｃ  垂直面
３０ｒ  斜面部
５０ｅ，６０ｅ  開口部
【図１】
2008122022.tif 000003
【図２】
2008122022.tif 000004
【図３】
2008122022.tif 000005
【図４】
2008122022.tif 000006
【図５】
2008122022.tif 000007
【図６】
2008122022.tif 000008
【図７】
2008122022.tif 000009
【図８】
2008122022.tif 000010
【図９】
2008122022.tif 000011